(57)【要約】【課題】電源操作時に状態情報を把握することができる情報機器、制御方法およびプログラムを提供する。【解決手段】情報機器２は、情報機器２の電源状態を切り換え可能な操作部１０７と、操作部１０７によって電源状態が切り換えられた場合、情報機器２の状態を判定する状態判定部１２０ａと、状態判定部１２０ａの判定結果を情報機器２に関する状態情報として外部機器へ送信する通信制御部１２０ｅと、を備える。【選択図】図２
2019096010.tif 000002
【特許請求の範囲】
【請求項１】
外部機器と双方向に通信することができる情報機器であって、
当該情報機器の電源状態を切り換え可能な操作部と、
前記操作部によって前記電源状態が切り換えられた場合、当該情報機器の状態を判定する状態判定部と、
前記状態判定部の判定結果を当該情報機器に関する状態情報として前記外部機器へ送信する通信制御部と、
を備えることを特徴とする情報機器。
【請求項２】
前記状態判定部は、前記電源状態が切り換えられた前後においてユーザによって変更された当該情報機器の設定状態の変化を判定する、または当該情報機器を構成する各部の消耗状態の変化を判定することを特徴とする請求項１に記載の情報機器。
【請求項３】
当該情報機器において手動設定可能な設定パラメータの使用履歴を記録する使用履歴情報をさらに備え、
前記状態判定部は、
前記使用履歴情報に基づいて、前記電源状態が切り換えられた前後において前記設定パラメータが変更されているか否かを判定し、
前記通信制御部は、
前記状態判定部によって前記設定パラメータが変更されていると判定された場合、当該情報機器における前記設定パラメータが変更されていることを前記状態情報として前記外部機器へ送信することを特徴とする請求項１に記載の情報機器。
【請求項４】
前記状態判定部は、前記使用履歴情報に基づいて、使用回数が所定値以下の前記設定パラメータが変更されたか否かを判定することを特徴とする請求項３に記載の情報機器。
【請求項５】
前記外部機器から前記設定パラメータを前記電源状態が切り換えられる前の状態へ戻すリセット要求信号が入力された場合、前記設定パラメータを前記電源状態が切り換えられる前の状態へ戻る撮影制御部をさらに備えることを特徴とする請求項３に記載の情報機器。
【請求項６】
当該情報機器に装着された電池の残量を検出する電池残量検出部をさらに備え、
前記状態判定部は、
前記電池残量検出部が検出した前記残量が所定値以下であるか否かを判定し、
前記通信制御部は、
前記状態判定部によって前記所定値以下であると判定された場合、前記残量が前記所定値以下であることを前記状態情報として前記外部機器へ送信することを特徴とする請求項１に記載の情報機器。
【請求項７】
当該情報機器に装着された記録媒体のメモリ残量を検出するメモリ残量検出部をさらに備え、
前記状態判定部は、
前記メモリ残量検出部が検出した前記メモリ残量が所定値以下であるか否かを判定し、
前記通信制御部は、
前記状態判定部によって前記所定値以下であると判定された場合、前記メモリ残量が前記所定値以下であることを前記状態情報として前記外部機器へ送信することを特徴とする請求項１に記載の情報機器。
【請求項８】
前記通信制御部は、前記外部機器から前記記録媒体の前記メモリ残量を解放するメディア解放要求信号が入力された場合において、前記記録媒体に複数の動画データと複数の静止画データが記録されているとき、前記複数の動画データから前記外部機器に送信するとともに、前記記録媒体から送信済みの前記動画データを前記記録媒体から削除することを特徴とする請求項７に記載の情報機器。
【請求項９】
前記通信制御部は、前記複数の動画データのうち撮影日時が古い順に前記外部機器へ送信することを特徴とする請求項８に記載の情報機器。
【請求項１０】
被写体を撮像して画像データを生成する撮像素子をさらに備え、
前記状態判定部は、
前記電源状態が切り換えられた前後において前記画像データが新たに生成されたか否かを判定し、
前記通信制御部は、前記状態判定部によって前記画像データが新たに生成されていると判定された場合、新たに生成された前記画像データのサムネイル画像データを前記状態情報として前記外部機器へ送信することを特徴とする請求項１に記載の情報機器。
【請求項１１】
外部機器と双方向に通信することができる情報機器が実行する制御方法であって、
当該情報機器の電源状態を切り換える切換ステップと、
前記切換ステップで前記電源状態が切り換えられた場合、当該情報機器の状態を判定する状態判定ステップと、
前記状態判定ステップの判定結果を当該情報機器に関する状態情報として前記外部機器へ送信する通信制御ステップと、
を含むことを特徴とする制御方法。
【請求項１２】
外部機器と双方向に通信することができる情報機器に、
当該情報機器の電源状態を切り換える切換ステップと、
前記切換ステップで前記電源状態が切り換えられた場合、当該情報機器の状態を判定する状態判定ステップと、
前記状態判定ステップの判定結果を当該情報機器に関する状態情報として前記外部機器へ送信する通信制御ステップと、
を実行させることを特徴とするプログラム。
【発明の詳細な説明】
【技術分野】
【０００１】
本発明は、情報を取得または送信する情報機器、制御方法およびプログラムに関する。
【背景技術】
【０００２】
近年、携帯電話において、電源オフ操作が行われた際に、携帯電話の所有者が本人であることが確認できなかったとき、電源の遮断を禁止するとともに、その旨を所定の端末へ送信することで、故意の電源オフ操作により電源がオフすることを防止する技術が知られている（特許文献１参照）。
【先行技術文献】
【特許文献】
【０００３】
【特許文献１】特開２００４−３５６９９２号公報
【発明の概要】
【発明が解決しようとする課題】
【０００４】
ところで、他の機器と通信可能な携帯機器等の情報機器において、情報機器の電源オフを行った場合、情報機器の表示モニタが表示する情報機器の状態に関する各種情報が表示されなくなり、情報機器で変更した設定内容や情報機器の状態を把握することができなくなる。このため、近年、情報機器の電源操作時に情報機器で変更した設定内容や情報機器の状態を知りたいという要望がある。
【０００５】
しかしながら、上述した特許文献１では、電源オフ操作時に携帯電話の本人でなかった場合に、その旨を所定の端末へ送信するのみであるため、情報機器の電源操作時に情報機器で変更した設定内容や情報機器の状態に関する状態情報を把握することができないという問題点があった。
【０００６】
本発明は、上記に鑑みてなされたものであって、電源操作時に状態情報を把握することができる情報機器、制御方法およびプログラムを提供することを目的とする。
【課題を解決するための手段】
【０００７】
上述した課題を解決し、目的を達成するために、本発明に係る情報機器は、外部機器と双方向に通信することができる情報機器であって、当該情報機器の電源状態を切り換え可能な操作部と、前記操作部によって前記電源状態が切り換えられた場合、当該情報機器の状態を判定する状態判定部と、前記状態判定部の判定結果を当該情報機器に関する状態情報として前記外部機器へ送信する通信制御部と、を備えることを特徴とする。
【０００８】
また、本発明に係る制御方法は、外部機器と双方向に通信することができる情報機器が実行する制御方法であって、当該情報機器の電源状態を切り換える切換ステップと、前記切換ステップで前記電源状態が切り換えられた場合、当該情報機器の状態を判定する状態判定ステップと、前記状態判定ステップの判定結果を当該情報機器に関する状態情報として前記外部機器へ送信する通信制御ステップと、を含むことを特徴とする。
【０００９】
また、本発明に係るプログラムは、外部機器と双方向に通信することができる情報機器に、当該情報機器の電源状態を切り換える切換ステップと、前記切換ステップで前記電源状態が切り換えられた場合、当該情報機器の状態を判定する状態判定ステップと、前記状態判定ステップの判定結果を当該情報機器に関する状態情報として前記外部機器へ送信する通信制御ステップと、を実行させることを特徴とする。
【発明の効果】
【００１０】
本発明によれば、電源操作時に状態情報を把握することができるという効果を奏する。
【図面の簡単な説明】
【００１１】
【図１】図１は、本発明の実施の形態１に係る通信システムの概要を示す模式図である。
【図２】図２は、本発明の実施の形態１に係る情報機器の機能構成を示すブロック図である。
【図３】図３は、本発明の実施の形態１に係る外部機器の機能構成を示すブロック図である。
【図４】図４は、本発明の実施の形態１に係る通信システムが実行する処理の概要を模式的に示す概念図である。
【図５Ａ】図５Ａは、本発明の実施の形態１に係る外部機器が状態情報１を受信した際に表示する画像の一例を模式的に示す図である。
【図５Ｂ】図５Ｂは、本発明の実施の形態１に係る外部機器が状態情報１を受信した際に表示する画像の一例を模式的に示す図である。
【図６】図６は、本発明の実施の形態１に係る外部機器が状態情報２を受信した際に表示する画像の一例を模式的に示す図である。
【図７Ａ】図７Ａは、本発明の実施の形態１に係る外部機器が状態情報３を受信した際に表示する画像の一例を模式的に示す図である。
【図７Ｂ】図７Ｂは、本発明の実施の形態１に係る外部機器が状態情報３を受信した際に表示する画像の一例を模式的に示す図である。
【図７Ｃ】図７Ｃは、本発明の実施の形態１に係る外部機器が状態情報３を受信した際に表示する画像の一例を模式的に示す図である。
【図８Ａ】図８Ａは、本発明の実施の形態１に係る外部機器が状態情報４を受信した際に表示する画像の一例を模式的に示す図である。
【図８Ｂ】図８Ｂは、本発明の実施の形態１に係る外部機器が状態情報４を受信した際に表示する画像の一例を模式的に示す図である。
【図８Ｃ】図８Ｃは、本発明の実施の形態１に係る外部機器が状態情報４を受信した際に表示する画像の一例を模式的に示す図である。
【図９】図９は、本発明の実施の形態１に係る情報機器が実行する処理の概要を示すフローチャートである。
【図１０】図１０は、図９の送信判定処理の概要を示すフローチャートである。
【図１１】図１１は、図９の送信処理の概要を示すフローチャートである。
【図１２】図１２は、状態情報の概要を模式的に示す図である。
【図１３】図１３は、図９の受信処理の概要を示すフローチャートである。
【図１４】図１４は、図１３の設定変更処理の概要を示すフローチャートである。
【図１５】図１５は、図１３のメディア解放処理の概要を示すフローチャートである。
【図１６】図１６は、図１３の画像アップロード処理の概要を示すフローチャートである。
【図１７】図１７は、本発明の実施の形態１に係る外部機器が実行する処理の概要を示すフローチャートである。
【図１８】図１８は、図１７の受信内容解析処理の概要を示すフローチャートである。
【図１９】図１９は、本発明の実施の形態２に係る通信システムの概要を示す模式図である。
【図２０】図２０は、本発明の実施の形態２に係る情報機器の機能構成を示す模式図である。
【図２１】図２１は、本発明の実施の形態２に係る通信システムが実行する処理の概要を模式的に示す概念図である。
【図２２】図２２は、本発明の実施の形態２に係る情報機器が実行する処理の概要を示すフローチャートである。
【図２３】図２３は、本発明の実施の形態２に係る外部機器が実行する処理の概要を示すフローチャートである。
【発明を実施するための形態】
【００１２】
以下、本発明を実施するための形態を図面とともに詳細に説明する。なお、以下の実施の形態により本発明が限定されるものではない。また、以下の説明において参照する各図は、本発明の内容を理解でき得る程度に形状、大きさ、および位置関係を概略的に示してあるに過ぎない。すなわち、本発明は、各図で例示された形状、大きさおよび位置関係のみに限定されるものではない。さらに、以下の説明では、情報機器の例として携帯電話と双方向に通信可能な撮像装置を例に説明するが、撮像装置以外にも、タブレット型端末装置、カムコーダ、撮影機能付きＩＣレコーダ、ビデオマイクロスコープ等の顕微鏡、工業用または医療用の内視鏡であっても適用することができる。
【００１３】
（実施の形態１）
〔通信システムの概要〕
図１は、本発明の実施の形態１に係る通信システムの概要を示す模式図である。図１に示す通信システム１は、被写体を撮像して画像データを生成する情報機器２と、所定の通信規格に従って外部の機器と通話可能な外部機器３と、を備える。以下の説明では、情報機器２として、デジタルスチルカメラを例に説明するが、デジタルスチルカメラ以外にも、タブレット型端末装置、カムコーダ、撮影機能付きＩＣレコーダ、ビデオマイクロスコープ等の顕微鏡、工業用または医療用の内視鏡であっても適用することができる。また、外部機器３として携帯電話を例に説明するが、携帯電話以外にも、タブレット型端末装置およびパーソナルコンピュータであっても適用することができる。
【００１４】
図１に示す通信システム１は、情報機器２および外部機器３の各々が所定の通信規格に従って双方向に通信することができる。具体的には、情報機器２は、外部機器３へ画像データや各種情報を無線によって送信することができるとともに、外部機器３から送信された情報を表示したり、外部機器３から送信された指示信号に応じた制御を行ったりすることができる。さらに、情報機器２は、ネットワークＮ１００を介して外部のＳＮＳ（Social  Networking  Service）サーバ４や画像データを記録するフォトストレージサーバ等に送信することができる。また、外部機器３は、情報機器２から画像データや各種情報を受信するとともに、情報機器２に各種情報を送信したり、情報機器２の所定の動作を指示する指示信号、例えばレリーズ指示信号や撮影パラメータを変更する変更信号を送信したりすることができる。さらに、外部機器３は、ネットワークＮ１００を介して情報機器２から受信した画像データをＳＮＳサーバやフォトストレージサーバ等に送信することができる。
【００１５】
図１に示す状況下において、ユーザは、情報機器２と外部機器３とが双方向に通信することができる場合において、情報機器２を用いた撮影を終了するとき、情報機器２で表示される情報機器２の設定や状態を示す状態情報を確認することなく、情報機器２に対して電源操作、例えば電源オフ操作を行う。このため、ユーザは、次に情報機器２を用いて撮影する場合、情報機器２の状態を把握していない可能性が高いため、例えばユーザが手動で設定変更可能な情報機器２の撮影モードや撮影パラメータが意図しない設定パラメータになっていたり、情報機器２の電池の容量が不足していたり、メモリカード等の記録媒体の容量が不足していたりしている。この結果、ユーザは、情報機器２を用いて撮影を行った場合であっても、所望の設定パラメータで撮影できなかったり、ユーザ以外の第３者に情報機器２を貸し出して撮影をお願いしたりして撮影を行った場合、撮影された画像が所望の状態になっていなかったり、メモリカードの容量不足により撮影ができなかったりする可能性があった。そこで、本実施の形態１では、情報機器２に対して電源操作が行われた場合、外部機器３に情報機器２の状態情報を送信する。このため、以下においては、情報機器２の構成および外部機器３の構成を説明後、情報機器２および外部機器３それぞれの処理について説明する。
【００１６】
〔情報機器の構成〕
まず、情報機器２の構成について説明する。
図２は、情報機器２の機能構成を示すブロック図である。
図２に示す情報機器２は、本体部１０と、本体部１０に対して着脱自在なレンズ装置２０と、を備える。
【００１７】
〔レンズ装置の構成〕
まず、レンズ装置２０の構成について説明する。
レンズ装置２０は、光学系２０１と、絞り２０２と、ドライバ２０３と、レンズ制御部２０４と、レンズ通信部２０５と、を備える。
【００１８】
光学系２０１は、単数または複数のレンズを用いて構成され、所定の視野領域から光を集光して被写体像を結像する。光学系２０１は、後述するレンズ制御部２０４の制御のもと、ドライバ２０３によって光軸方向に移動することで、焦点距離や焦点位置を変更する。
【００１９】
絞り２０２は、光学系２０１が集光した光の入射量を制御することで露出の調整を行う。絞り２０２は、ドライバ２０３によって絞り値を変更する。
【００２０】
ドライバ２０３は、レンズ制御部２０４の制御のもと、光学系２０１を光軸方向に沿って移動させることによって光学系２０１の焦点位置や焦点距離を変更する。また、ドライバ２０３は、レンズ制御部２０４の制御のもと、絞り２０２を駆動させて絞り値を変更する。ドライバ２０３は、駆動回路等を用いて構成される。
【００２１】
レンズ制御部２０４は、レンズ通信部２０５を介して本体部１０から入力された指示信号に基づいて、ドライバ２０３の駆動を制御することによって光学系２０１および絞り２０２を制御する。レンズ制御部２０４は、ＣＰＵ（Central  Processing  Unit）等を用いて構成される。
【００２２】
レンズ通信部２０５は、所定の通信規格に従って本体部１０から入力された指示信号をレンズ制御部２０４へ送信するとともに、レンズ制御部２０４から入力された信号を本体部１０へ送信する。
【００２３】
〔本体部の構成〕
次に、本体部１０の構成について説明する。
本体部１０は、シャッタ１００と、撮像素子１０１と、通信部１０２と、ＳＤＲＡＭ（Synchronous  Dynamic  Random  Access  Memory）１０３と、メモリＩ／Ｆ１０４と、Ｆｌａｓｈメモリ１０５と、画像処理部１０６と、操作部１０７と、電池１０８と、表示制御部１０９と、表示部１１０と、タッチパネル１１１と、ＧＰＳ１１２と、ジャイロセンサ１１３と、加速度センサ１１４と、地磁気センサ１１５と、第１通信部１１６と、第２通信部１１７と、第３通信部１１８と、バス１１９と、制御部１２０と、を備える。
【００２４】
シャッタ１００は、後述する制御部１２０の制御のもと、撮像素子１０１の状態を露光状態または遮光状態に設定する。シャッタ１００は、例えばフォーカルプレーンシャッタ等を用いて構成される。なお、シャッタ１００を用いずに、後述する撮像素子１０１における電子シャッタを用いてもよい。
【００２５】
撮像素子１０１は、後述する制御部１２０の制御のもと、光学系２０１が集光した被写体像を受光して光電変換を行うことによって画像データ（ＲＡＷデータ）を生成して出力する。撮像素子１０１は、ＣＣＤ（Charge  Coupled  Device）やＣＭＯＳ（Complementary  Metal  Oxide  Semiconductor）等のイメージセンサを用いて構成される。なお、本実施の形態１では、撮像素子１０１をベイヤー配列のイメージセンサを例に説明するが、例えばＦｏｖｉｏｎのような積層型のイメージセンサであってもよいし、赤外光に感度を持つ画素を有するイメージセンサであってもよい。また、撮像素子１０１は、後述する制御部１２０の制御のもと、受光量を電子的に制御可能な電子シャッタ機能を有する。
【００２６】
通信部１０２は、所定の通信規格に従って制御部１２０から入力された指示信号をレンズ装置２０へ送信するとともに、レンズ装置２０から入力された信号を制御部１２０へ送信する。
【００２７】
ＳＤＲＡＭ１０３は、バス１１９を介して撮像素子１０１から入力された画像データ（ＲＡＷデータ）や情報機器２が処理中の各種情報を一時的に記録する。
【００２８】
メモリＩ／Ｆ１０４は、後述する制御部１２０の制御のもと、本体部１０の外部から装着されるメモリカード等の記録媒体Ｗ１に対して画像データを書き込むとともに、記録媒体に記録された画像データを読み出し、この画像データをＳＤＲＡＭ１０３へ出力する。
【００２９】
Ｆｌａｓｈメモリ１０５は、情報機器２を動作させるための各種プログラム、プログラムの実行中に使用される各種データを記録する。また、Ｆｌａｓｈメモリ１０５は、情報機器２において手動設定可能な設定パラメータの使用履歴を記録する使用履歴情報記録部１０５ａを有する。
【００３０】
画像処理部１０６は、ＧＰＵ（Graphics  Processing  Unit）やＦＰＧＡ（Field  Programmable  Gate  Array）等を用いて構成され、撮像素子１０１が生成した画像データ（ＲＡＷデータ）に対して、所定の画像処理を行う。ここで、所定の画像処理として、ノイズ低減処理、オプティカルブラック減算処理、ホワイトバランス調整処理、撮像素子１０１がベイヤー配列の場合には画像データの同時化処理、カラーマトリクス演算処理、γ補正処理、色再現処理およびエッジ強調処理等を含む基本の画像処理を行う。また、画像処理部１０６は、予め設定された各画像処理のパラメータに基づいて、自然な画像を再現する画像処理を行う。ここで、各画像処理のパラメータとは、コントラスト、シャープネス、彩度、ホワイトバランスおよび階調の値である。さらに、画像処理部１０６は、複数の画像処理を組み合わせて視覚的な効果を与える特殊効果処理を実行する。ここで、特殊効果処理としては、例えばトーンカーブ処理、彩度アップ処理、ソフトフォーカス効果処理、ホワイトアウト効果処理、シェーディング効果処理またはスターライト効果処理等である。
【００３１】
操作部１０７は、情報機器２の各種の指示を与える指示信号の入力を受け付ける。操作部１０７は、情報機器２の電源状態をオン状態またはオフ状態に切り換える電源スイッチ１０７ａ、撮影の指示を与えるレリーズスイッチ、情報機器２の各種設定を切り換える操作スイッチ、動作撮影の指示を与える動作スイッチ、情報機器２のピント位置を変更するフォーカススイッチ、情報機器２の露出値を補正する露出補正スイッチおよび情報機器２のＩＳＯ感度を変更するＩＳＯ変更スイッチ等を用いて構成される。なお、操作部１０７は、ブッシュスイッチ、ジョグダイヤルおよび回転レバー等を用いて構成される。
【００３２】
電池１０８は、情報機器２に対して着脱自在であり、情報機器２を構成する各部に所定の電圧を供給する。電池１０８は、リチウムイオン充電池やニッケル水素充電池等を用いて構成される。
【００３３】
表示制御部１０９は、表示部１１０の表示態様を制御する。具体的には、表示制御部１０９は、画像処理部１０６が画像処理を施した画像データに対応するライブビュー画像を表示部１１０に表示させる。また、表示制御部１０９は、情報機器２の現在の状態を示す状態情報を表示部１１０に表示させる。ここで、状態情報には、情報機器２の電池残量、情報機器２に装着された記録媒体Ｗ１のメモリ残量、情報機器２の撮影パラメータ（例えばシャッタ速度、絞り値、所定距離、ピント位置、ＡＦモードの種別、ＩＳＯ感度、顔検出の有無、特殊効果処理の設定状態および画質モードの種別）が含まれる。
【００３４】
表示部１１０は、液晶または有機ＥＬ（Electro  Luminescence）等の表示パネルを用いて構成される。表示部１１０は、表示制御部１０９の制御のもと、情報機器２に関する各種情報、ライブビュー画像、撮影画像および動画を表示する。
【００３５】
タッチパネル１１１は、表示部１１０の表示領域に重畳して設けられ、外部からタッチされた位置を検出し、この検出した位置に応じた信号を制御部１２０へ出力する。
【００３６】
ＧＰＳ１１２は、地上の物体の位置を測位する測定手段であるＧＰＳ（Global  Positioning  System）を構成する複数のＧＰＳ衛星から送信されてくる衛星の軌道情報を受信し、この受信した軌道情報に基づいて、撮影時や画像再生時における情報機器２の位置情報を取得し、この位置情報を制御部１２０へ出力する。ここで、位置情報は、経度、緯度および時刻情報である。
【００３７】
ジャイロセンサ１１３は、情報機器２の姿勢を検出し、この検出結果を制御部１２０へ出力する。具体的には、ジャイロセンサ１１３は、情報機器２のヨー方向、ロー方向およびピッチ方向それぞれの角速度（傾き）を検出し、この角速度を制御部１２０へ出力する。
【００３８】
加速度センサ１１４は、情報機器２に生じる加速度を検出し、この検出結果を制御部１２０へ出力する。
【００３９】
地磁気センサ１１５は、レンズ装置２０の光軸が略水平になる場合において、レンズ装置２０の光軸が視野領域を向いた方向を基準方位としたときの情報機器２の方位を検出する。具体的には、地磁気センサ１１５は、地磁気の垂直方向と水平方向の成分を検出し、北を基準とする基準方位と情報機器２におけるレンズ装置２０の光軸とがなす角度を方位角として検出することによって情報機器２の方位を検出する。
【００４０】
第１通信部１１６は、制御部１２０の制御のもと、外部機器３との間で通信に必要な信号を含む各種データの無線通信を所定のプロトコルに従って行う。第１通信部１１６は、Ｂｌｕｅｔｏｏｔｈ（登録商標）通信を採用している。なお、第２通信部１１７は、Ｂｌｕｅｔｏｏｔｈ通信の他、赤外線通信（IrDA（Infrared  Data  Association））等、他の通信を採用しても構わない。例えば、Ｂｌｕｅｔｏｏｔｈの場合、機器の役割としては、近距離の一対一関係のマスター、スレーブの関係となり、概略接続処理としては、マスターが、所望のスレーブを検索し接続を行うため、問い合わせと応答の関係だけで通信が成り立ち、簡便である。つまり、大まかな接続シーケンスとしては、まず、マスターは、スレーブ機器が存在するかの問い合わせ（Ｉｎｑｕｉｒｙ）を行う。続いて、スレーブは、マスターからの問い合わせ（Ｉｎｑｕｉｒｙ）に対し、応答を返す。その後、マスターは、応答があったスレーブのうち、所望のスレーブと接続する。ただし、データ通信は、マスターからのデータ送受信指示により、データ送受信を行い、マスターが許可しないとデータ送受信できない。
【００４１】
第２通信部１１７は、制御部１２０の制御のもと、外部機器３との間で通信に必要な信号を含む各種データの無線通信を所定のプロトコルに従って行う。第２通信部１１７は、Ｂｌｕｅｔｏｏｔｈ  Ｌｏｗ  Ｅｎｅｒｇｙ（登録商標）通信（以下、単に「ＢＬＥ通信」という）を採用している。
【００４２】
第３通信部１１８は、制御部１２０の制御のもと、ネットワークＮ１００を介して外部のサーバとの間で通信に必要な信号を含む各種データの無線通信を所定のプロトコルに従って行う。第３通信部１１８は、Ｗｉ-Ｆｉ（Wireless  Fidelity）（登録商標）通信を採用している。例えば、Ｗｉ-Ｆｉの場合、ローカルネットワークを想定し、機器の役割として、アクセスポイント、ステーションの関係があり、概略の接続処理としては、アクセスポイントが構築している無線ネットワークに、ステーションが接続する関係となる。大まかな接続シーケンスとしては、まず、アクセスポイントは、無線ネットワークを構築し、自分のネットワーク識別子(ＳＳＩＤ)を報知する。続いて、ステーションは、報知されているネットワーク識別子(ＳＳＩＤ)を検索し、所望のネットワーク(アクセスポイント)に接続する。多くの機器とのネットワークを想定するので、カバー範囲も広く、干渉の問題を考慮しながら厳密な識別ステップを踏むことになる。このため、接続確立に時間がかかることがある。ただし、データ通信は、アクセスポイント、ステーションそれぞれのタイミングでデータの送受信が可能である。なお、第３通信部１１８は、Ｗｉ-Ｆｉ（Wireless  Fidelity）以外に、４Ｇ無線を利用した通信を採用してもよい。もちろん、第３通信部１１８は、３Ｇ無線を利用した通信、５Ｇ無線を利用した通信およびＷｉＭＡＸ（Worldwide  Interoperability  for  Microwave  Access）通信等、他の通信を採用しても構わない。
【００４３】
バス１１９は、情報機器２の各部を接続する伝送路をなし、情報機器２の内部で発生した各種データを情報機器２の各部に転送する。
【００４４】
制御部１２０は、ＣＰＵやＡＳＩＣ（Application  Specific  Integrated  Circuit）を用いて構成され、情報機器２を構成する各部を統括的に制御する。制御部１２０は、状態判定部１２０ａと、電池残量検出部１２０ｂと、メモリ残量検出部１２０ｃと、撮影判定部１２０ｄと、通信制御部１２０ｅと、撮影制御部１２０ｆと、を有する。
【００４５】
状態判定部１２０ａは、情報機器２の状態を判定する。具体的には、情報機器２の電源状態が切り換えられた前後（オン状態からオフ状態またはオフ状態からオン状態）においてユーザによって変更された情報機器２の設定状態の変化を判定する、または情報機器２を構成する各部の消耗状態の変化を判定する。より具体的には、状態判定部１２０ａは、情報機器２の電源状態が切り換えられた前後（オン状態からオフ状態またはオフ状態からオン状態）においてユーザによって変更された情報機器２の設定状態として、情報機器２の電源操作時の前後における情報機器２における手動設定可能な設定パラメータの遷移、情報機器２の電源操作時の前後における撮影画像の有無を判定する。また、状態判定部１２０ａは、情報機器２を構成する各部の消耗状態として、撮像素子１０１の消耗状態、シャッタ１００のレリーズ回数（シャッタ回数）による消耗状態、電池１０８の消耗状態、情報機器２に装着された電池１０８の残量および記録媒体Ｗ１のメモリ残量を判定する。例えば、状態判定部１２０ａは、Ｆｌａｓｈメモリ１０５の使用履歴情報記録部１０５ａが記録する使用履歴情報に基づいて、情報機器２の電源操作時の前後における設定パラメータが変更されているか否かを判定する。より具体的には、状態判定部１２０ａは、情報機器において手動設定可能な設定パラメータの使用履歴の使用回数が所定値以下の設定パラメータが変更されたか否かを判定する。ここで、設定パラメータとは、撮影パラメータ（絞り値（Ｆ値）、シャッタ速度（ＳＳ）、ＩＳＯ感度、露出補正値）および画像処理部１０６のパラメータである。また、状態判定部１２０ａは、電池残量検出部１２０ｂが検出した電池１０８の残量が所定値以下であるか否かを判定する。さらに、状態判定部１２０ａは、メモリ残量検出部１２０ｃが検出した記録媒体Ｗ１のメモリ残量が所定値以下であるか否かを判定する。さらにまた、電源状態が切り換えられた前後において撮像素子１０１によって画像データが新たに生成されたか否かを判定する。
【００４６】
電池残量検出部１２０ｂは、情報機器２に装着された電池１０８の残量を検出する。
【００４７】
メモリ残量検出部１２０ｃは、情報機器２に装着された記録媒体Ｗ１のメモリ残量を検出する。
【００４８】
撮影判定部１２０ｄは、情報機器２の電源操作後に撮影を行ったか否かを判定する。
【００４９】
通信制御部１２０ｅは、第１通信部１１６、第２通信部１１７および第３通信部１１８それぞれの通信を制御する。また、通信制御部１２０ｅは、状態判定部１２０ａによって情報機器２の設定パラメータが変更されていると判定された場合、情報機器２における設定パラメータが変更されていることを状態情報として外部機器３へ送信する。また、通信制御部１２０ｅは、状態判定部１２０ａによって電池１０８の残量が所定値以下であると判定された場合、電池１０８の残量が所定値以下であることを状態情報として外部機器２へ送信する。さらに、通信制御部１２０ｅは、状態判定部１２０ａによって記録媒体Ｗ１のメモリ残量が所定値以下であると判定された場合、記録媒体Ｗ１のメモリ残量が所定値以下であることを状態情報として外部機器３へ送信する。さらにまた、通信制御部１２０ｅは、状態判定部１２０ａによって画像データが新たに生成されていると判定された場合、新たに生成された画像データのサムネイル画像データを状態情報として外部機器３へ送信する。
【００５０】
撮影制御部１２０ｆは、撮像素子１０１およびレンズ装置２０を制御することによって情報機器２の撮影の制御を行う。また、撮影制御部１２０ｆは、操作部１０７の操作のもと、情報機器２において手動で設定変更可能な設定パラメータを変更する。
【００５１】
〔外部機器の構成〕
次に、外部機器３の構成について説明する。
図３は、外部機器３の機能構成を示すブロック図である。
図３に示す外部機器３は、Ｆｌａｓｈメモリ３１と、表示制御部３２と、表示部３３と、タッチパネル３４と、第１通信部３５と、第２通信部３６と、第３通信部３７と、メモリＩ／Ｆ３８と、ＳＤＲＡＭ３９と、バス４０と、制御部４１と、を備える。
【００５２】
Ｆｌａｓｈメモリ３１は、外部機器３を動作させるための各種プログラム、プログラムの実行中に使用される各種データを記録する。
【００５３】
表示制御部３２は、表示部３３の表示態様を制御する。具体的には、表示制御部３２は、外部機器３に関する各種情報や外部機器３で実行可能な各種アプリに対応するアイコンを表示部３３に表示させる。
【００５４】
表示部３３は、液晶または有機ＥＬ等の表示パネルを用いて構成される。表示部３３は、表示制御部３２の制御のもと、外部機器３に関する各種情報やアイコンを表示する。
【００５５】
タッチパネル３４は、表示部３３の表示領域に重畳して設けられ、外部からタッチされた位置を検出し、この検出した位置に応じた信号を制御部４１へ出力する。
【００５６】
第１通信部３５は、後述する制御部４１の制御のもと、情報機器２との間で通信に必要な信号を含む各種データの無線通信を所定のプロトコルに従って行う。第１通信部３５は、Ｂｌｕｅｔｏｏｔｈ通信を採用している。なお、第１通信部３５は、Ｂｌｕｅｔｏｏｔｈ通信の他、赤外線通信（IrDA）等、他の通信を採用しても構わない。
【００５７】
第２通信部３６は、後述する制御部４１の制御のもと、情報機器２との間で通信に必要な信号を含む各種データの無線通信を所定のプロトコルに従って行う。第２通信部３６は、外、ＢＬＥ通信を採用している。
【００５８】
第３通信部３７は、後述する制御部４１の制御のもと、ネットワークＮ１００を介して外部のサーバとの間で通信に必要な信号を含む各種データの無線通信を所定のプロトコルに従って行う。第３通信部３７は、Ｗｉ-Ｆｉ通信を採用している。なお、第３通信部３７は、Ｗｉ-Ｆｉ以外に、４Ｇ無線を利用した通信を採用してもよい。もちろん、第３通信部１１８は、３Ｇ無線を利用した通信、５Ｇ無線を利用した通信およびＷｉＭＡＸ通信等、他の通信を採用しても構わない。
【００５９】
メモリＩ／Ｆ３８は、後述する制御部４１の制御のもと、外部機器３の外部から装着されるメモリカード等の記録媒体Ｗ２に対して各種情報、例えば画像データを書き込むとともに、記録媒体Ｗ２に記録された各種情報を読み出し、この情報を後述するＳＤＲＡＭ３０へ出力する。
【００６０】
ＳＤＲＡＭ３９は、バス４０を介して外部機器３が処理中の各種情報を一時的に記録する。
【００６１】
バス４０は、外部機器３の各部を接続する伝送路をなし、外部機器３の内部で発生した各種データを外部機器３の各部に転送する。
【００６２】
制御部４１は、ＣＰＵ等を用いて構成され、外部機器３を構成する各部を制御する。
【００６３】
〔通信システムの処理の概要〕
次に、通信システム１が実行する処理の概要について説明する。図４は、通信システム１が実行する処理の概要を模式的に示す概念図である。
【００６４】
図４に示すように、まず、情報機器２は、ユーザによって電源操作、例えば電源スイッチ１０７ａを介して電源オフ操作が行われた場合（ステップＳ１：Ｙｅｓ）、情報機器２の状態に関する状態情報をＢｌｕｅｔｏｏｔｈ通信またはＢＬＥ通信によって外部機器３へ送信し（ステップＳ２）、外部機器３からの信号を受信するまで待機、または一定時間経過するまで待機する（ステップＳ３）。この場合、情報機器２は、ＢＬＥ通信可能な状態でボーリングする。
【００６５】
続いて、外部機器３は、情報機器２から受信した状態情報を表示し（ステップＳ４）、ユーザによって状態情報に応じた操作が行われた場合（ステップＳ５：Ｙｅｓ）、操作に応じた要求信号をＢｌｕｅｔｏｏｔｈ通信またはＢＬＥ通信によって情報機器２へ送信する（ステップＳ６）。ステップＳ６の後、外部機器３は、本処理を終了する。
【００６６】
その後、情報機器２は、外部機器３から受信した要求信号に応じた制御を実行する（ステップＳ７）。例えば、情報機器２は、記録媒体Ｗ１のメモリ残量を外部機器３へ送信し、送信した静止画像データおよび動画データを削除することによって、記録媒体Ｗ１のメディアを解放する。ステップＳ７の後、情報機器２は、本処理を終了する。
【００６７】
ステップＳ１において、ユーザによって電源操作が行われていない場合（ステップＳ１：Ｎｏ）、情報機器２は、本処理を終了する。
【００６８】
ステップＳ５において、ユーザによって状態情報に応じた操作が行われていない場合（ステップＳ５：Ｎｏ）、外部機器３は、本処理を終了する。
【００６９】
〔外部機器の表示パターン〕
次に、上述したステップＳ４で外部機器３が情報機器２から受信した状態情報を表示する際の表示パターンについて説明する。外部機器３は、情報機器２から受信した状態情報の種別毎に表示内容を変更して表示する。具体的には、外部機器３は、４つの状態に応じた表示内容を表示する。より具体的には、外部機器３は、情報機器２の設定パラメータの使用履歴に基づく使用回数が著しく低い設定パラメータに変更されている場合に受信する状態情報１と、情報機器２の電池残量が所定値以下である場合に受信する状態情報２と、情報機器２に装着された記録媒体Ｗ１の残量が所定値以下である場合に受信する状態情報３と、情報機器２で新規に撮影された場合に受信する状態情報４との各々に応じて表示内容を変更して表示する。
【００７０】
〔状態情報１〕
図５Ａおよび図５Ｂは、外部機器３が状態情報１を受信した際に表示する画像の一例を模式的に示す図である。図５Ａに示すように、外部機器３は、情報機器２から状態情報１を受信した場合、状態情報１に対応するメッセージＭ１を表示する。その後、図５Ｂに示すように、外部機器３は、情報機器２の設定パラメータを電源操作時、例えば電源オン時または設定パラメータを初期値までリセットするリセット要求信号を送信するためのメッセージＭ２と、リセット要求信号を送信するための入力を受け付けるアイコンＡ１と、リセット要求信号を送信しないための入力を受け付けるアイコンＡ２と、を表示する。ユーザは、アイコンＡ１またはアイコンＡ２を選択する。これにより、外部機器３は、ユーザの操作に応じたリセット要求信号を情報機器２へ送信する。この結果、情報機器２は、情報機器２の設定パラメータを電源操作時、例えば電源オン時の状態までリセットする。
【００７１】
〔状態情報２〕
図６は、外部機器３が状態情報２を受信した際に表示する画像の一例を示す図である。外部機器３は、状態情報２に対応するメッセージＭ３を表示する。この場合、ユーザは、情報機器２から電池１０８を取り外して電池１０８の充電を行う。
【００７２】
〔状態情報３〕
図７Ａ、図７Ｂおよび図７Ｃは、外部機器３が状態情報３を受信した際に表示する画像の一例を模式的に示す図である。図７Ａに示すように、外部機器３は、情報機器２から状態情報３を受信した場合、状態情報３に対応するメッセージＭ４を表示する。その後、図７Ｂに示すように、外部機器３は、情報機器２の記録媒体Ｗ１の残量を増やすメディア解放要求信号を送信するためのメッセージＭ５と、情報機器２の記録媒体Ｗ１の残量を増やすためのメディア解放要求信号を送信するための入力を受け付けるアイコンＡ１０と、情報機器２の記録媒体Ｗ１の残量を増やすためのメディア解放要求信号を送信しないための入力を受け付けるアイコンＡ１１と、を表示する。この場合において、ユーザがアイコンＡ１０を選択したとき、図７Ｃに示すように、外部機器３は、情報機器２の記録媒体Ｗ１の空き容量の数値を指示するメディア解放要求信号を送信するためのメッセージＭ６と、情報機器２の記録媒体Ｗ１の空き容量を設定するためのメディア解放要求信号を送信するための入力を受け付けるアイコンＡ１２と、情報機器２の記録媒体Ｗ１の空き容量の設定をキャンセルするための入力を受け付けるアイコンＡ１３と、を表示する。この場合、ユーザは、外部機器３のタッチパネル３４に対してスライド操作やフリック操作を行うことによって情報機器２の記録媒体Ｗ１の空き容量の数値を設定する。さらに、ユーザは、アイコンＡ１２またはアイコンＡ１３を選択する。これにより、外部機器３は、ユーザの操作に応じたメディア解放要求信号を情報機器２へ送信する。
【００７３】
〔状態情報４〕
図８Ａ、図８Ｂおよび図８Ｃは、外部機器３が状態情報４を受信した際に表示する画像の一例を模式的に示す図である。図８Ａに示すように、外部機器３は、情報機器２から状態情報４を受信した場合、状態情報４に対応するメッセージＭ７と、サムネイル画像の天応を要求するための画像転送要求信号の入力を受け付けるアイコンＡ２０と、サムネイル画像の転送を要求する画像転送要求信号を送信しないための入力を受け付けるアイコンＡ２１と、を表示する。この場合において、ユーザがアイコンＡ２０を選択したとき、図８Ｂに示すように、外部機器３は、情報機器２に送信させるサムネイル画像Ｐ１〜Ｐ３の一例を表示する。その後、ユーザが、所望のサムネイル画像を選択した場合、図８Ｃに示すように、外部機器３は、情報機器２にサムネイル画像に対応する画像データを受信するためのメッセージＭ８と、情報機器２に画像データを転送させるための画像転送要求信号の入力を受け付けるアイコンＡ３１と、情報機器２に画像データの転送を中止するための信号の入力を受け付けるアイコンＡ３２と、を表示する。ユーザは、アイコンＡ３１またはアイコンＡ３２を選択する。これにより、外部機器３は、ユーザの操作に応じた画像転送要求信号を情報機器２へ送信する。
【００７４】
〔情報機器の処理〕
次に、情報機器２が実行する処理の詳細について説明する。図９は、情報機器２が実行する処理の概要を示すフローチャートである。
【００７５】
図９に示すように、まず、操作部１０７の電源スイッチ１０７ａが操作され、情報機器２の電源がオンされ（ステップＳ１０１）、情報機器２に撮影モードが設定されている場合（ステップＳ１０２：Ｙｅｓ）、情報機器２は、後述するステップＳ１０３へ移行する。これに対して、情報機器２に撮影モードが設定されていない場合（ステップＳ１０２：Ｎｏ）、情報機器２は、後述するステップＳ１０７へ移行する。
【００７６】
ステップＳ１０３において、操作部１０７を介して撮影操作が行われた場合（ステップＳ１０３：Ｙｅｓ）、撮影制御部１２０ｆは、撮像素子１０１に撮影動作を実行させる（ステップＳ１０４）。この場合、画像処理部１０６は、撮像素子１０１が生成した画像データに対して所定の画像処理を施して記録媒体Ｗ１に記録する。ステップＳ１０４の後、情報機器２は、後述するステップＳ１０５へ移行する。
【００７７】
ステップＳ１０３において、操作部１０７を介して撮影操作が行われなかった場合（ステップＳ１０３：Ｎｏ）、情報機器２は、後述するステップＳ１０５へ移行する。
【００７８】
続いて、操作部１０７を介して情報機器２の撮影パラメータの設定を変更する設定変更操作が行われた場合（ステップＳ１０５：Ｙｅｓ）、撮影影制御部１２０ｆは、操作部１０７の操作に応じて情報機器２の設定パラメータの設定を変更する（ステップＳ１０６）。具体的には、制御部１２０は、画像処理部１０６の画像処理のパラメータを変更したり、露出補正の値を変更したり、画像処理部１０６が実行することができる特殊効果処理の内容を変更したりする。この場合、使用履歴情報記録部１０５ａは、各項目毎に使用回数や数値を記録する。ステップＳ１０６の後、情報機器２は、後述するステップＳ１０２へ移行する。
【００７９】
ステップＳ１０５において、操作部１０７を介して情報機器２の設定パラメータの設定を変更する設定変更操作が行われていない場合（ステップＳ１０５：Ｎｏ）、情報機器２は、後述するステップＳ１０２へ移行する。
【００８０】
ステップＳ１０７において、情報機器２に再生モードが設定されている場合（ステップＳ１０７：Ｙｅｓ）、表示制御部１０９は、記録媒体Ｗ１に記録された画像データに対応する画像を表示部１１０に表示させて再生する再生動作を実行する（ステップＳ１０８）。ステップＳ１０８の後、情報機器２は、後述するステップＳ１０９へ移行する。
【００８１】
ステップＳ１０７において、情報機器２に再生モードが設定されていない場合（ステップＳ１０７：Ｎｏ）、情報機器２は、後述するステップＳ１０９へ移行する。
【００８２】
続いて、操作部１０７を介して情報機器２の電源をオフにする電源オフ操作が行われた場合（ステップＳ１０９：Ｙｅｓ）、情報機器２は、後述するステップＳ１１０へ移行する。これに対して、操作部１０７を介して情報機器２の電源をオフにする電源オフ操作が行われていない場合（ステップＳ１０９：Ｎｏ）、情報機器２は、上述したステップＳ１０２へ戻る。
【００８３】
ステップＳ１１０において、制御部１２０は、情報機器２を構成する各部において、通信以外を電源オフとする。具体的には、制御部１２０は、第１通信部１１６、第２通信部１１７および第３通信部１１８に関係するデバイス以外の電源をオフとする制御を行う。より具体的には、制御部１２０は、電池１０８から主なデバイス、例えば撮像素子１０１、通信部１０２、画像処理部１０６、表示制御部１０９、表示部１１０、タッチパネル１１１，ジャイロセンサ１１３、加速度センサ１１４、地磁気センサ１１５およびレンズ装置２０への電力の供給を停止させることによって、通信以外を電源オフとする。これにより、多くのスイッチ類が反応しなくなるうえ、表示などが見えなくなるので、ユーザは、情報機器２が機能せず省エネ状態になったとして、安心して片付けたり、鞄やポケットにしまったりする事ができる。情報機器２が非表示になると、多くのユーザは、その機器のことは忘れて別の行動や作業に入るので、本願では、省エネにするとともに、各種パラメータをＦｌａｓｈメモリ１０５に記録することによって情報機器２を停止する電源オフ処理を行い、あとでこの情報を通信できるようにしている。なお、本実施の形態１では、「通信以外を電源オフ」と表現しているが、特定のスイッチや一部の時計、あるいは、必要に応じてタイマーで設定された時刻での一部機能の作動などは行われるようになっている。
【００８４】
ステップＳ１１１において、情報機器２は、情報機器２の状態を判定して外部機器３へ送信状態を送信するか否かを判定する送信判定処理を実行する。なお、送信判定処理の詳細は、後述する。ステップＳ１１１の後、情報機器２は、後述するステップＳ１１２へ移行する。
【００８５】
続いて、情報機器２は、外部機器３と無線接続することによって状態情報を送信する送信処理を実行する（ステップＳ１１２）。なお、送信処理の詳細は、後述する。
【００８６】
その後、外部機器３から要求信号を受信した場合（ステップＳ１１３：Ｙｅｓ）、情報機器２は、要求信号に応じた制御を行う受信処理を実行する（ステップＳ１１４）。なお、受信処理の詳細は、後述する。ステップＳ１１４の後、情報機器２は、後述するステップＳ１１５へ移行する。
【００８７】
ステップＳ１１３において、外部機器３から要求信号を受信していない場合（ステップＳ１１３：Ｎｏ）、情報機器２は、後述するステップＳ１１５へ移行する。
【００８８】
ステップＳ１１５において、制御部１２０は、電池１０８から主な部分への電力の供給を停止させるので、多くのスイッチ類が反応しなくなるうえ、表示などが見えなくなる。この結果、ユーザは、情報機器２が機能せず省エネ状態になったとして、安心して片付けたり、鞄やポケットにしまったりする事ができる。情報機器２が非表示になると、多くのユーザは、その機器のことは忘れて別の行動や作業に入るので、本願では、省エネにするとともに、各種パラメータをＦｌａｓｈメモリ１０５に記録することによって情報機器２を停止する電源オフ処理を行い、あとでこの情報を通信できるようにしている。ステップＳ１１５の後、情報機器２は、本処理を終了する。本実施の形態１では、「電源オフ」と表現しているが、特定のスイッチや一部の通信部（例えば第２通信部１１７）、時計、あるいは、必要に応じてタイマーで設定された時刻での一部機能の作動などは行われるようになっている。
【００８９】
〔送信判定処理〕
次に、上述した図９のステップＳ１１１で説明した送信判定処理の詳細について説明する。図１０は、送信判定処理の概要を示すフローチャートである。
【００９０】
図１０に示すように、まず、状態判定部１０２ａは、Ｆｌａｓｈメモリ１０５に記録された情報機器２の設定パラメータの使用履歴情報に基づいて、情報機器２の設定パラメータの設定が変更されているか否かを判定する（ステップＳ２０１）。具体的には、状態判定部１０２ａは、Ｆｌａｓｈメモリ１０５に記録された使用履歴情報に基づいて、使用回数が所定値以下の設定パラメータであるか否かを判定する。例えば、状態判定部１０２ａは、電源がオン状態になってから電源オフ操作されるまでの期間で、操作部１０７によって変更された設定パラメータが過去の使用履歴における使用回数において顕著に使用されていない設定パラメータであるか否かを判定する。これにより、次回撮影または電源起動時後、撮影を行う場合にユーザが意図しない設定パラメータで使用されることを防止することができる。状態判定部１０２ａは、情報機器２の設定パラメータの設定が変更されていると判定した場合（ステップＳ２０１：Ｙｅｓ）、状態情報を送信有りと判定する（ステップＳ２０２）。ステップＳ２０２の後、情報機器２は、後述するステップＳ２０３へ移行する。なお、所定値は、定義変更することができるが、例えば所定期間、例えば１年で考えた場合に、１０回程度である。
【００９１】
ステップＳ２０１において、状態判定部１０２ａは、情報機器２の設定パラメータの設定が変更されていないと判定した場合（ステップＳ２０１：Ｎｏ）、情報機器２は、後述するステップＳ２０３へ移行する。
【００９２】
ステップＳ２０３において、状態判定部１２０ａは、電池残量検出部１２０ｂが検出した電池１０８の残量が２０％以下であるか否かを判定する。状態判定部１２０ａによって電池残量検出部１２０ｂが検出した電池１０８の残量が２０％以下であると判定された場合（ステップＳ２０３：Ｙｅｓ）、状態判定部１２０ａは、状態情報を送信有りと判定する（ステップＳ２０４）。ステップＳ２０４の後、情報機器２は、後述するステップＳ２０５へ移行する。
【００９３】
ステップＳ２０３において、状態判定部１２０ａによって電池残量検出部１２０ｂが検出した電池１０８の残量が２０％以下でないと判定された場合（ステップＳ２０３：Ｎｏ）、情報機器２は、後述するステップＳ２０５へ移行する。
【００９４】
ステップＳ２０５において、撮影判定部１２０ｄは、前回の接続時から情報機器２が撮影を行うことによって追加画像があるか否かを判定する。撮影判定部１２０ｄによって追加画像があると判定された場合（ステップＳ２０５：Ｙｅｓ）、状態判定部１２０ａは、状態情報を送信有りと判定する（ステップＳ２０６）。ステップＳ２０６の後、情報機器２は、後述するステップＳ２０７へ移行する。
【００９５】
ステップＳ２０５において、撮影判定部１２０ｄによって追加画像がないと判定された場合（ステップＳ２０５：Ｎｏ）、情報機器２は、ステップＳ２０７へ移行する。
【００９６】
ステップＳ２０７において、状態判定部１２０ａは、メモリ残量検出部１２０ｃが検出した記録媒体Ｗ１のメモリ残量が２０％以下であるか否かを判定する。メモリ残量検出部１２０ｃが検出した記録媒体Ｗ１のメモリ残量が２０％以下である場合（ステップＳ２０７：Ｙｅｓ）、状態判定部１２０ａは、状態情報を送信有りと判定する（ステップＳ２０８）。ステップＳ２０８の後、情報機器２は、図９のメインルーチンへ戻る。これに対して、メモリ残量検出部１２０ｃが検出した記録媒体Ｗ１のメモリ残量が２０％以下でない場合（ステップＳ２０７：Ｎｏ）、情報機器２は、図９のメインルーチンへ戻る。
【００９７】
〔送信処理〕
次に、上述した図９のステップＳ１１２において説明した送信処理の詳細について説明する。図１１は、送信処理の概要を示すフローチャートである。
【００９８】
図１１に示すように、まず、状態判定部１２０ａによって送信有りと判定されている場合（ステップＳ３０１：Ｙｅｓ）において、通信制御部１２０ｅは、第１通信部１１６で外部機器３と通信を行うためのネゴシエーションを行い（ステップＳ３０２）、外部機器３と接続が完了したとき（ステップＳ３０３：Ｙｅｓ）、第１通信部１１６によって状態情報を外部機器３へ送信させる（ステップＳ３０４）。例えば、図１２に示すように、通信制御部１２０ｅは、第１通信部１１６に状態判定部１２０ａによって判定された状態情報Ｔ１を外部機器３へ送信させる。ステップＳ３０４の後、情報機器２は、図９のメインルーチンへ戻る。
【００９９】
ステップＳ３０１において、状態判定部１２０ａによって送信有りと判定されている場合（ステップＳ３０１：Ｙｅｓ）において、通信制御部１２０ｅは、第１通信部１１６で外部機器３と通信を行うためのネゴシエーションを行い（ステップＳ３０２）、外部機器３と接続が完了していないとき（ステップＳ３０３：Ｎｏ）、情報機器２の状態をスリープに遷移させる（ステップＳ３０５）。ステップＳ３０５の後、情報機器２は、後述するステップＳ３０６へ移行する。
【０１００】
ステップＳ３０１において、状態判定部１２０ａによって送信有りと判定されていない場合（ステップＳ３０１：Ｎｏ）において、情報機器２は、図９のメインルーチンへ戻る。
【０１０１】
ステップＳ３０６において、通信制御部１２０ｅは、第２通信部１１７で外部機器３と通信を行うためのネゴシエーションを行う。
【０１０２】
続いて、操作部１０７に対して情報機器２の電源をオン状態にするパワー操作が行われた場合（ステップＳ３０７：Ｙｅｓ）、情報機器２は、図９のメインルーチンへ戻る。これに対して、操作部１０７に対して情報機器２の電源をオン状態にするパワー操作が行われていない場合（ステップＳ３０７：Ｎｏ）、情報機器２は、後述するステップＳ３０８へ移行する。
【０１０３】
ステップＳ３０８において、外部機器３と接続が完了した場合（ステップＳ３０８：Ｙｅｓ）、通信制御部１２０ｅは、第２通信部１１７によって状態情報を外部機器３へ送信する（ステップＳ３０９）。ステップＳ３０９の後、情報機器２は、図９のメインルーチンへ戻る。
【０１０４】
ステップＳ３０８において、外部機器３と接続が完了していない場合（ステップＳ３０８：Ｎｏ）、情報機器２は、上述したステップＳ３０６へ戻る。
【０１０５】
〔受信処理〕
次に、上述した図９のステップＳ１１４で説明した受信処理の詳細について説明する。図１３は、受信処理の概要を示すフローチャートである。
【０１０６】
図１３に示すように、まず、外部機器３が情報機器２における手動設定可能な設定パラメータを情報機器２の電源状態が切り換えられる前の状態に変更するリセット要求信号を受信した場合（ステップＳ４０１：Ｙｅｓ）、情報機器２は、情報機器２の設定パラメータを電源のオン状態前に変更する設定変更処理を実行する（ステップＳ４０２）。ステップＳ４０２の後、情報機器２は、後述するステップＳ４０３へ移行する。これに対して、外部機器３がリセット要求信号を受信していない場合（ステップＳ４０１：Ｎｏ）、情報機器２は、後述するステップＳ４０３へ移行する。
【０１０７】
〔設定変更処理〕
図１４は、図１３のステップＳ４０２の設定変更処理の概要を示すフローチャートである。
【０１０８】
図１４に示すように、撮影制御部１２０ｆは、情報機器２の設定パラメータを電源のオン状態の前に変更する（ステップＳ５０１）。ステップＳ５０１の後、情報機器２は、図１３のサブルーチンへ戻る。
【０１０９】
図１３に戻り、ステップＳ４０３以降の説明を続ける。
ステップＳ４０３において、外部機器３から記録媒体Ｗ１に記録された画像データを解放するメディア解放要求信号を受信した場合（ステップＳ４０３：Ｙｅｓ）、情報機器２は、記録媒体Ｗ１に記録された画像データを外部機器３へ送信して記録媒体Ｗ１から削除することによって解放するメディア解放処理を実行する（ステップＳ４０４）。ステップＳ４０４の後、情報機器２は、後述するステップＳ４０５へ移行する。これに対して、外部機器３からメディア解放要求信号を受信していない場合（ステップＳ４０３：Ｎｏ）、情報機器２は、後述するステップＳ４０５へ移行する。
【０１１０】
〔メディア解放処理〕
図１５は、図１３のステップＳ４０４で説明したメディア解放処理の概要を示すフローチャートである。
図１５に示すように、まず、通信制御部１２０ｅは、第３通信部１１８によって外部機器３とネゴシエーションを行い（ステップＳ６０１）、外部機器３との接続が完了した場合（ステップＳ６０２：Ｙｅｓ）、情報機器２は、後述するステップＳ６０３へ移行する。これに対して、外部機器３との接続が完了していない場合（ステップＳ６０２：Ｎｏ）、情報機器２は、図１３のサブルーチンへ戻る。
【０１１１】
ステップＳ６０３において、記録媒体Ｗ１に記録された中に動画データがある場合（ステップＳ６０３：Ｙｅｓ）、情報機器２は、後述するステップＳ６０４へ移行する。これに対して、記録媒体Ｗ１に記録された中に動画データがない場合（ステップＳ６０３：Ｎｏ）、情報機器２は、後述するステップＳ６０６へ移行する。
【０１１２】
ステップＳ６０４において、通信制御部１２０ｅは、第３通信部１１８によって記録媒体Ｗ１に記録された動画像を外部機器３へ転送する。この場合、通信制御部１２０ｅは、記録媒体Ｗ１に記録された動画像の記録日時が古い順に第３通信部１１８に送信させる。
【０１１３】
続いて、通信制御部１２０ｅは、第３通信部１１８が送信した動画像を記録媒体Ｗ１から削除する（ステップＳ６０５）。ステップＳ６０５の後、情報機器２は、後述するステップＳ６０８へ移行する。
【０１１４】
ステップＳ６０６において、通信制御部１２０ｅは、第３通信部１１８によって記録媒体Ｗ１に記録された静止画を外部機器３へ転送する。この場合、通信制御部１２０ｅは、記録媒体Ｗ１に記録された静止画の記録日時が古い順に第３通信部１１８に送信させる。
【０１１５】
続いて、通信制御部１２０ｅは、第３通信部１１８が送信した静止画を記録媒体Ｗ１から削除する（ステップＳ６０７）。ステップＳ６０７の後、情報機器２は、後述するステップＳ６０８へ移行する。
【０１１６】
ステップＳ６０８において、記録媒体Ｗ１の空き容量５０％以上で終了指定されている場合（ステップＳ６０８：Ｙｅｓ）、情報機器２は、後述するステップＳ６１０へ移行する。これに対して、記録媒体Ｗ１の空き容量５０％以上で終了指定されていない場合（ステップＳ６０８：Ｎｏ）、情報機器２は、後述するステップＳ６０９へ移行する。
【０１１７】
ステップＳ６０９において、記録媒体Ｗ１の空き容量が１００％になった場合（ステップＳ６０９：Ｙｅｓ）、情報機器２は、図１３のサブルーチンへ戻る。これに対して、記録媒体Ｗ１の空き容量が１００％になっていない場合（ステップＳ６０９：Ｎｏ）、情報機器２は、上述したステップＳ６０３へ戻る。
【０１１８】
ステップＳ６１０において、記録媒体Ｗ１の空き容量が５０％以上になった場合（ステップＳ６１０：Ｙｅｓ）、情報機器２は、図１３のサブルーチンへ戻る。これに対して、記録媒体Ｗ１の空き容量が５０％以上になっていない場合（ステップＳ６１０：Ｎｏ）、情報機器２は、上述したステップＳ６０３へ戻る。
【０１１９】
図１３に戻り、ステップＳ４０５以降の説明を続ける。
ステップＳ４０５において、外部機器３から画像転送要求信号を受信した場合（ステップＳ４０５：Ｙｅｓ）、情報機器２は、外部機器３で選択された画像データを外部機器３に順次アップロードする画像アップロード処理を実行する（ステップＳ４０６）。ステップＳ４０６の後、情報機器２は、図９のメインルーチンへ戻る。これに対して、外部機器３から画像転送要求信号を受信していない場合（ステップＳ４０５：Ｎｏ）、情報機器２は、図９のメインルーチンへ戻る。
【０１２０】
〔画像アップロード処理〕
図１６は、図１３のステップＳ４０６の画像アップロード処理の概要を示すフローチャートである。
【０１２１】
図１６に示すように、まず、通信制御部１２０ｅは、第３通信部１１８によって外部機器３とネゴシエーションを行い（ステップＳ７０１）、外部機器３との接続が完了した場合（ステップＳ７０２：Ｙｅｓ）、第３通信部１１８によって記録媒体Ｗ１に記録された複数の画像の中から選択された画像を外部機器３に送信させる（ステップＳ７０３）。ステップＳ７０３の後、情報機器２は、図１３のサブルーチンへ戻る。
【０１２２】
ステップＳ７０２において、外部機器３との接続が完了していない場合（ステップＳ７０２：Ｎｏ）、情報機器２は、図１３のサブルーチンへ戻る。
【０１２３】
〔外部機器の処理〕
次に、外部機器３が実行する処理について説明する。
図１７は、外部機器３が実行する処理の概要を示すフローチャートである。
【０１２４】
図１７に示すように、まず、情報機器２からネゴシエーションがあった場合（ステップＳ９０１：Ｙｅｓ）、制御部４１は、第１通信部３５、第２通信部３６および第３通信部３７のいずれかにネゴシエーションを行わせ（ステップＳ９０２）、情報機器２との接続が完了した場合（ステップＳ９０３：Ｙｅｓ）、外部機器３は、後述するステップＳ９０４へ移行する。
【０１２５】
ステップＳ９０１において、情報機器２からネゴシエーションがなかった場合（ステップＳ９０１：Ｎｏ）、外部機器３は、本処理を終了する。
【０１２６】
ステップＳ９０３において、情報機器２との接続が完了していない場合（ステップＳ９０３：Ｎｏ）、外部機器３は、本処理を終了する。
【０１２７】
ステップＳ９０４において、情報機器２から状態情報を受信した場合（ステップＳ９０４：Ｙｅｓ）、制御部４１は、情報機器２から受信した状態情報の受信内容をＳＤＲＡＭ３９に記録する（ステップＳ９０５）。ステップＳ９０５の後、外部機器３は、後述するステップＳ９０６へ移行する。
【０１２８】
ステップＳ９０４において、情報機器２から状態情報を受信していない場合（ステップＳ９０４：Ｎｏ）、外部機器３は、本処理を終了する。
【０１２９】
ステップＳ９０６において、外部機器３は、情報機器２から受信した状態情報の受信内容を解析するとともに、解析結果に応じた処理を行う受信内容解析処理を実行する。ステップＳ９０６の後、外部機器３は、本処理を終了する。
【０１３０】
〔受信内容解析処理〕
図１８は、図１７のステップＳ９０６の受信内容解析処理の概要を示すフローチャートである。
【０１３１】
図１８に示すように、まず、状態情報に設定変更情報がある場合（ステップＳ１００１：Ｙｅｓ）において、選択頻度が少ない設定変更であるとき（ステップＳ１００２：Ｙｅｓ）、表示制御部３２は、設定リセット確認を表示部３３に表示させる（ステップＳ１００３）。具体的には、表示制御部３２は、上述した図５ＡのメッセージＭ１を表示部３３に表示させる。
【０１３２】
続いて、タッチパネル３４を介して設定リセット操作があった場合（ステップＳ１００４：Ｙｅｓ）、制御部４１は、第１通信部３５に情報機器２の設定を情報機器２の電源がオン状態の前にリセットするリセット要求信号を送信させる（ステップＳ１００５）。ステップＳ１００５の後、外部機器３は、後述するステップＳ１００６へ移行する。
【０１３３】
ステップＳ１００１において、状態情報に設定変更情報がない場合（ステップＳ１００１：Ｎｏ）、外部機器３は、後述するステップＳ１００６へ移行する。
【０１３４】
ステップＳ１００２において、選択頻度が少ない設定変更でないとき（ステップＳ１００２：Ｎｏ）、外部機器３は、後述するステップＳ１００６へ移行する。
【０１３５】
ステップＳ１００４において、タッチパネル３４を介して設定リセット操作がなかった場合（ステップＳ１００４：Ｎｏ）、外部機器３は、後述するステップＳ１００６へ移行する。
【０１３６】
ステップＳ１００６において、情報機器２の電池１０８の残量が２０％以下である場合（ステップＳ１００６：Ｙｅｓ）、表示制御部３２は、情報機器２の電池１０８の残量が不足する旨の警告（例えば図６のメッセージＭ３）を表示部３３に表示させる（ステップＳ１００７）。ステップＳ１００７の後、外部機器３は、後述するステップＳ１００８へ移行する。
【０１３７】
ステップＳ１００６において、情報機器２の電池１０８の残量が２０％以下でない場合（ステップＳ１００６：Ｎｏ）、外部機器３は、後述するステップＳ１００８へ移行する。
【０１３８】
ステップＳ１００８において、情報機器２の記録媒体Ｗ１のメディア残量が２０％以下である場合（ステップＳ１００８：Ｙｅｓ）、表示制御部３２は、情報機器２の記録媒体Ｗ１のメディア解放通知確認（例えば図７ＡのメッセージＭ４→図７ＢのメッセージＭ５）を表示する（ステップＳ１００９）。
【０１３９】
続いて、タッチパネル３４を介してメディア解放操作があった場合（ステップＳ１０１０：Ｙｅｓ）、制御部４１は、第１通信部３５に情報機器２の記録媒体Ｗ１のメディア解放を指示するためのメディア解放要求信号を送信させる（ステップＳ１０１１）。ステップＳ１０１１の後、外部機器３は、後述するステップＳ１０１２へ移行する。
【０１４０】
ステップＳ１００８において、情報機器２の記録媒体Ｗ１のメディア残量が２０％以下でない場合（ステップＳ１００８：Ｎｏ）、外部機器３は、後述するステップＳ１０１２へ移行する。
【０１４１】
ステップＳ１０１０において、タッチパネル３４を介してメディア解放操作がなかった場合（ステップＳ１０１０：Ｎｏ）、外部機器３は、後述するステップＳ１０１２へ移行する。
【０１４２】
ステップＳ１０１２において、情報機器２の記録媒体Ｗ１において情報機器２の電源がオンした後に撮影されることによって生成された追加画像がある場合（ステップＳ１０１２：Ｙｅｓ）、表示制御部３２は、情報機器２の画像転送確認通知（例えば図８ＡのメッセージＭ７）を表示部３３に表示させる（ステップＳ１０１３）。
【０１４３】
続いて、タッチパネル３４を介して画像転送操作があった場合（ステップＳ１０１４：Ｙｅｓ）、制御部４１は、第１通信部３５にタッチパネル３４を介して選択された画像の転送を指示する画像転送要求信号を送信させる（ステップＳ１０１５）。ステップＳ１０１５の後、外部機器３は、図１７のメインルーチンへ戻る。
【０１４４】
ステップＳ１０１２において、情報機器２の記録媒体Ｗ１において情報機器２の電源がオンした後に撮影されず、追加画像がない場合（ステップＳ１０１２：Ｎｏ）、外部機器３は、図１７のメインルーチンへ戻る。
【０１４５】
ステップＳ１０１４において、タッチパネル３４を介して画像転送操作がなかった場合（ステップＳ１０１４：Ｎｏ）、外部機器３は、図１７のメインルーチンへ戻る。
【０１４６】
以上説明した本発明の実施の形態１によれば、情報機器２の電源操作時に、通信制御部１２０ｅが状態判定部１２０ａの判定結果を情報機器２に関する状態情報として外部機器３へ送信するので、電源操作時に情報機器２の状態情報を把握することができる。
【０１４７】
また、本発明の実施の形態１によれば、状態判定部１２０ａによって情報機器２の設定パラメータが変更されていると判定された場合、通信制御部１２０ｅが情報機器２において手動設定可能な設定パラメータが変更されていることを状態情報として外部機器３へ送信するので、情報機器２の設定パラメータを把握することができる。
【０１４８】
また、本発明の実施の形態１によれば、状態判定部１２０ａが使用履歴情報記録部１０５ａによって記録された使用履歴情報に基づいて、使用回数が所定値以下の設定パラメータが変更されたか否かを判定するので、滅多に使用されない設定パラメータが情報機器２に設定されたことを把握することができるので、撮影後または撮影時にユーザが所望しない設定パラメータで撮影されてしまうことを防止することができる。
【０１４９】
また、本発明の実施の形態１によれば、撮影制御部１２０ｆが外部機器３から設定パラメータを電源状態が切り換えられる前の状態へ戻すリセット要求信号が入力された場合、情報機器２の設定パラメータを電源状態が切り換えられる前の状態へ戻すので、滅多に使用されない設定パラメータで撮影されてしまうことを防止することができる。
【０１５０】
また、本発明の実施の形態１によれば、通信制御部１２０ｅが状態判定部１２０ａによって電池１０８の残量が所定値以下であると判定された場合、電池１０８の残量が所定値以下であることを情報機器２の状態情報として外部機器３へ送信するので、電源操作時に情報機器２の状態情報を把握することができる。
【０１５１】
また、本発明の実施の形態１によれば、通信制御部１２０ｅが状態判定部１２０ａによって記録媒体Ｗ１のメモリ残量が所定値以下であると判定された場合、記録媒体Ｗ１のメモリ残量が所定値以下であることを情報機器２の状態情報として外部機器３へ送信するので、電源操作時に情報機器２の状態情報を把握することができる。
【０１５２】
また、本発明の実施の形態１によれば、外部機器３から記録媒体Ｗ１のメモリ残量を解放するメディア解放要求信号が入力された場合において、記録媒体Ｗ１に複数の動画データと複数の静止画データが記録されているとき、通信制御部１２０ｅが複数の動画データから外部機器３に送信する、即ち、記録媒体Ｗ１でメモリ容量を多く占める動画データを先に送信するとともに、記録媒体Ｗ１から送信済みの動画データを記録媒体Ｗ１から削除するので、記録媒体Ｗ１のメディア解放を敏速に行うことができる。
【０１５３】
また、本発明の実施の形態１によれば、通信制御部１２０ｅが状態判定部１２０ａによって画像データが新たに生成されていると判定された場合、新たに生成された画像データのサムネイル画像データを状態情報として外部機器３へ送信するので、電源操作時に情報機器２の状態情報を把握することができる。
【０１５４】
（実施の形態２）
次に、本発明の実施の形態２について説明する。本実施の形態２に係る通信システムは、上述した実施の形態１に係る通信システム１と構成が異なる。具体的には、本実施の形態２に係る通信システムは、情報機器と複数の外部機器との間で双方向に通信を行う。以下においては、本実施の形態２に係る通信システムの構成を説明後、本実施の形態２に係る通信システムを構成する情報機器および外部機器の各々の処理について説明する。なお、上述した実施の形態１に係る通信システム１と同一の構成には同一の符号を付して説明を省略する。
【０１５５】
〔通信システムの概要〕
図１９は、本実施の形態２に係る通信システムの概要を示す模式図である。図１９に示す通信システム１ａは、上述した実施の形態１に係る情報機器２に換えて、情報機器２ａと、複数の外部機器３と、を備える。複数の外部機器３の各々は、互いに所有者が異なる。このため、以下においては、一方の外部機器３を外部機器３Ａと表現し、他方の外部機器３を外部機器３Ｂとして表現して説明する。なお、外部機器３Ａおよび外部機器３Ｂの構成は、上述した実施の形態１に係る外部機器３の構成と同一のため、詳細な説明は省略する。
【０１５６】
〔情報機器の構成〕
図２０は、情報機器２ａの機能構成を示すブロック図である。
図２０に示す情報機器２ａは、上述した実施の形態１に係る本体部１０に換えて、本体部１０ａを備える。また、本体部１０ａは、上述した実施の形態１に係る制御部１２０に換えて、制御部１２１を備える。制御部１２１は、上述した実施の形態１に係る制御部１２０の構成に加えて、接続先切換部１２０ｇをさらに備える。
【０１５７】
接続先切換部１２０ｇは、外部機器３Ａまたは外部機器３Ｂから送信された切換指示信号に基づいて、情報機器２ａが接続する接続先を切り換える。
【０１５８】
〔通信システムの処理の概要〕
次に、通信システム１ａが実行する処理の概要について説明する。図２１は、通信システム１ａが実行する処理の概要を模式的に示す概念図である。図２１において、ステップＳ１０〜ステップＳ１３は、上述した図４のステップＳ１〜ステップＳ４それぞれに対応する。
【０１５９】
ステップＳ１４において、外部機器３Ａは、表示部３３が情報機器２ａの状態情報を表示している場合において、タッチパネル３４を介して、ヘルプ操作が行われた場合（ステップＳ１４：Ｙｅｓ）、情報機器２ａから受信した情報機器２ａの状態情報を外部機器３Ｂへ送信するとともに（ステップＳ１５）、情報機器２ａの接続先を外部機器３Ａから外部機器３Ｂに切り換えを指示する接続切換信号を情報機器２ａへ送信する（ステップＳ１６）。このような状況が発生する理由は、情報機器２ａを操作する外部機器３Ａの所有者が情報機器２ａの状態情報を外部機器３Ａで確認した場合であっても、情報機器２ａの状態を把握することが難しいため、知識のある外部機器３Ｂの所有者へ外部機器３Ａの所有者がお願いし、少しの間だけ操作を変わってもらうことによって、情報機器２ａで生じる不具合を解消しつつ、撮影時に不測の事態が生じることを未然に防止することで、シャッタチャンスを逃すことを防止する。
【０１６０】
続いて、外部機器３Ｂは、外部機器３Ａから受信した状態情報を表示し（ステップＳ１７）、所有者によって状態情報に応じた操作が行われた場合（ステップＳ１８：Ｙｅｓ）、操作に応じた要求信号および、接続先を外部機器３Ａに切り換えを指示する接続切換信号をＢｌｕｅｔｏｏｔｈ通信またはＢＬＥ通信によって情報機器２ａへ送信する（ステップＳ１９）。これにより、情報機器２ａは、外部機器３Ｂの指示信号に応じた制御を行った後に、接続先を外部機器３Ａに切り換えることができる。ステップＳ１９の後、外部機器３Ｂは、本処理を終了する。
【０１６１】
ステップＳ１８において、所有者によって状態情報に応じた操作が行われていない場合（ステップＳ１８：Ｎｏ）、外部機器３Ｂは、本処理を終了する。
【０１６２】
ステップＳ１４において、外部機器３Ａは、表示部３３が情報機器２ａの状態情報を表示している場合において、タッチパネル３４を介して、ヘルプ操作が行われていない場合（ステップＳ１４：Ｎｏ）、外部機器３Ａは、後述するステップＳ２０へ移行する。
【０１６３】
ステップＳ２０〜ステップＳ２２は、上述した図４のステップＳ５〜ステップＳ７それぞれに対応する。
【０１６４】
〔情報機器の処理〕
次に、情報機器２ａが実行する処理の詳細について説明する。図２２は、情報機器２ａが実行する処理の概要を示すフローチャートである。図２２において、ステップＳ１０１〜ステップＳ１１２は、上述した図９と同様であり、ステップＳ１２０以降が異なる。このため、以下においては、ステップＳ１２０以降について説明する。
【０１６５】
ステップＳ１２０において、外部機器３Ａから情報機器２ａの接続先を外部機器３Ａから外部機器３Ｂに切り換えを指示する接続切換信号があった場合（ステップＳ１２０：Ｙｅｓ）、情報機器２ａは、外部機器３Ｂと無線接続することによって状態情報を送信する送信処理を実行する（ステップＳ１２１）。なお、送信処理は、上述した実施の形態１の図１１で説明した送信処理と同様のため、詳細な説明は省略する。
【０１６６】
続いて、外部機器３Ｂから要求信号があった場合（ステップＳ１２２：Ｙｅｓ）、情報機器２ａは、要求信号に応じた制御を行う受信処理を実行する（ステップＳ１２３）。なお、受信処理は、上述した実施の形態１の図１３で説明した受信処理と同様のため、詳細な説明は省略する。
【０１６７】
その後、制御部１２１は、電池１０８からの電力の供給を停止させることによって情報機器２を停止するパワーオフ処理を実行する（ステップＳ１２４）。ステップＳ１２４の後、情報機器２ａは、本処理を終了する。
【０１６８】
ステップＳ１２０において、外部機器３Ａから情報機器２ａの接続先を外部機器３Ａから外部機器３Ｂに切り換えを指示する接続切換信号がなかった場合（ステップＳ１２０：Ｎｏ）、情報機器２ａは、後述するステップＳ１２５へ移行する。
【０１６９】
ステップＳ１２２において、外部機器３Ｂから要求信号がなかった場合（ステップＳ１２２：Ｎｏ）、情報機器２ａは、ステップＳ１２４へ移行する。
【０１７０】
ステップＳ１２５およびステップＳ１２６は、上述したステップＳ１１２およびステップＳ１１３それぞれに対応する。ステップＳ１２６の後、情報機器２ａは、ステップＳ１２４へ移行する。
【０１７１】
〔外部機器の処理〕
次に、外部機器３Ａが実行する処理について説明する。
図２３は、外部機器３Ａが実行する処理の概要を示すフローチャートである。なお、本実施の形態２では、外部機器３Ｂも同様の処理を実行するため、詳細な処理の説明は省略する。また、図２３において、ステップＳ１１０１〜ステップＳ１１０４は、上述した図１７のステップＳ９０１〜ステップＳ９０４それぞれに対応する。
【０１７２】
ステップＳ１１０５において、表示制御部３２は、情報機器２ａから受信した状態情報を表示部３３に表示させる。
【０１７３】
続いて、タッチパネル３４を介してヘルプ操作があった場合（ステップＳ１１０６：Ｙｅｓ）、制御部４１は、情報機器２ａに接続先を外部機器３Ａから外部機器３Ｂに切り換えを指示する接続切換信号を第１通信部３５に送信させ（ステップＳ１１０７）、情報機器２ａから受信した状態情報を第１通信部３５に外部機器３Ｂへ送信させる（ステップＳ１１０８）。ステップＳ１１０８の後、外部機器３Ａは、本処理を終了する。
【０１７４】
ステップＳ１１０６において、タッチパネル３４を介してヘルプ操作がなかった場合（ステップＳ１１０６：Ｎｏ）、外部機器３Ａは、後述するステップＳ１１０９へ移行する。
【０１７５】
ステップＳ１１０９およびステップＳ１１１０は、上述した図１７のステップＳ９０５およびステップＳ９０６それぞれに対応する。ステップＳ１１１０の後、外部機器３Ａは、本処理を終了する。
【０１７６】
以上説明した本発明の実施の形態２によれば、情報機器２ａを操作する外部機器３Ａの所有者が情報機器２ａの状態情報を外部機器３Ａで確認した場合であっても、情報機器２ａの状態を把握することが難しいため、知識のある外部機器３Ｂの所有者へ外部機器３Ａの所有者がお願いし、少しの間だけ操作を変わってもらうことで、情報機器２ａで生じる不具合を解消しつつ、電源操作後の撮影時に不測の事態が生じることで防止することができる。
【０１７７】
（その他の実施の形態）
上述した本発明の実施の形態１，２に開示されている複数の構成要素を適宜組み合わせることによって、種々の発明を形成することができる。例えば、上述した本発明の実施の形態１，２に記載した全構成要素からいくつかの構成要素を削除してもよい。さらに、上述した本発明の実施の形態１，２で説明した構成要素を適宜組み合わせてもよい。
【０１７８】
また、本発明の実施の形態１，２では、上述してきた「部」は、「手段」や「回路」などに読み替えることができる。例えば、制御部は、制御手段や制御回路に読み替えることができる。また、実施例中で、この「部」（セクションやユニット）として記載した部分は、専用の回路や、複数の汎用の回路を組み合わせて構成してもよく、必要に応じて、予めプログラムされたソフトウェアに従って動作を行うマイコン、ＣＰＵなどのプロセッサ、あるいはシーケンサ、ＦＰＧＡなどを組み合わせて構成されてもよい。また、その制御の一部または全部を外部の装置が引き受けるような設計も可能で、この場合、有線や無線の通信回路が介在する。通信は、ＢｌｕｅｔｏｏｔｈやＷｉＦｉ、電話回線などで行えばよく、ＵＳＢなどで行っても良い。専用の回路、汎用の回路や制御部を一体としてＡＳＩＣとして構成してもよい。移動部などは、様々なアクチュエータと、必要に応じて移動用の連結メカニズムによって構成されており、ドライバ回路によってアクチュエータが作動する。このドライブ回路もまた、特定のプログラムに従ってマイコンやＡＳＩＣなどが制御する。こうした制御は各種センサやその周辺回路が出力する情報によって、詳細な補正、調整などが行われても良い。
【０１７９】
また、本発明の実施の形態１，２に係る情報機器または外部機器に実行させるプログラムは、インストール可能な形式または実行可能な形式のファイルデータでＣＤ−ＲＯＭ、フレキシブルディスク（ＦＤ）、ＣＤ−Ｒ、ＤＶＤ（Digital  Versatile  Disk）、ＵＳＢ媒体、フラッシュメモリ等のコンピュータで読み取り可能な記録媒体に記録されて提供される。
【０１８０】
また、本発明の実施の形態１，２に係る情報機器または外部機器に実行させるプログラムは、インターネット等のネットワークに接続されたコンピュータ上に格納し、ネットワーク経由でダウンロードさせることにより提供するように構成してもよい。さらに、本発明の実施の形態１，２に係る情報機器または外部機器に実行させるプログラムをインターネット等のネットワーク経由で提供または配布するように構成しても良い。
【０１８１】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。即ち、本明細書で記載したフローチャートにおける処理の順序は、矛盾のない範囲で変更することができる。また、こうした、単純な分岐処理からなるプログラムに限らず、より多くの判定項目を総合的に判定して分岐させてもよい。その場合、ユーザにマニュアル操作を促して学習を繰り返すうちに機械学習するような人工知能の技術を併用しても良い。また、多くの専門家が行う操作パターンを学習させて、さらに複雑な条件を入れ込む形で深層学習をさせて実行してもよい。
【０１８２】
以上、本願の実施の形態のいくつかを図面に基づいて詳細に説明したが、これらは例示であり、本発明の開示の欄に記載の態様を始めとして、当業者の知識に基づいて種々の変形、改良を施した他の形態で本発明を実施することが可能である。
【符号の説明】
【０１８３】
１，１ａ・・・通信システム；２，２ａ・・・情報機器；３，３Ａ，３Ｂ・・・外部機器；１０，１０ａ・・・本体部；２０・・・レンズ装置；３１，１０５・・・Ｆｌａｓｈメモリ；３２，１０９・・・表示制御部；３３，１００・・・表示部；３４，１０１・・・タッチパネル；３５，１１６・・・第１通信部；３６，１１７・・・第２通信部；３７，１１８・・・第３通信部；３８，１０４・・・メモリＩ／Ｆ；３９，１０３・・・ＳＤＲＡＭ；４０，１１９・・・バス；４１，１２０，１２１・・・制御部；１００・・・シャッタ；１０１・・・撮像素子；１０２・・・通信部；１０５ａ・・・使用履歴情報記録部；１０６・・・画像処理部；１０７・・・操作部；１０８・・・電池；１１２・・・ＧＰＳ；１１３・・・ジャイロセンサ；１１４・・・加速度センサ；１１５・・・地磁気センサ；１２０ａ・・・状態判定部；１２０ｂ・・・電池残量検出部；１２０ｃ・・・メモリ残量検出部；１２０ｄ・・・撮影判定部；１２０ｅ・・・通信制御部；１２０ｆ・・・撮影制御部；１２０ｇ・・・接続先切換部；２０１・・・光学系；２０２・・・絞り；２０３・・・ドライバ；２０４・・・レンズ制御部；２０５・・・レンズ通信部；Ｔ１・・・状態情報；Ｗ１，Ｗ２・・・記録媒体；
【図１】
2019096010.tif 000003
【図２】
2019096010.tif 000004
【図３】
2019096010.tif 000005
【図４】
2019096010.tif 000006
【図５Ａ】
2019096010.tif 000007
【図５Ｂ】
2019096010.tif 000008
【図６】
2019096010.tif 000009
【図７Ａ】
2019096010.tif 000010
【図７Ｂ】
2019096010.tif 000011
【図７Ｃ】
2019096010.tif 000012
【図８Ａ】
2019096010.tif 000013
【図８Ｂ】
2019096010.tif 000014
【図８Ｃ】
2019096010.tif 000015
【図９】
2019096010.tif 000016
【図１０】
2019096010.tif 000017
【図１１】
2019096010.tif 000018
【図１２】
2019096010.tif 000019
【図１３】
2019096010.tif 000020
【図１４】
2019096010.tif 000021
【図１５】
2019096010.tif 000022
【図１６】
2019096010.tif 000023
【図１７】
2019096010.tif 000024
【図１８】
2019096010.tif 000025
【図１９】
2019096010.tif 000026
【図２０】
2019096010.tif 000027
【図２１】
2019096010.tif 000028
【図２２】
2019096010.tif 000029
【図２３】
2019096010.tif 000030